(57)【要約】【課題】ユーザの設定操作や切り換え操作を必要とせず、デジタル放送を自動的に選局して視聴を可能にする放送受信装置を提供する。【解決手段】放送受信装置は、デジタル放送とアナログ放送の２つの放送を受信可能なチューナ１１と、チャンネルの情報をチャンネルポジション毎に記憶する選局メモリ２０と、２つの放送を行っている事業者については、選局メモリ２０におけるアナログ放送のチャンネルポジションに対応して、デジタル放送のチャンネルの情報を書き込み、アナログ放送のみの放送を行っている事業者については、選局メモリ２０におけるアナログ放送のチャンネルポジションに対応して、アナログ放送のチャンネルの情報を書き込み、選局メモリ２０に記憶された情報に基づいて、２つの放送のいずれかをチューナ１１にて選択して受信するように制御する制御部２１とを有する。【選択図】図１
2008301293.tif 000002
【特許請求の範囲】
【請求項１】
デジタル放送とアナログ放送の２つの放送形態のテレビジョン放送を受信可能な受信部と、
該受信部において受信する前記テレビジョン放送のチャンネルの情報をチャンネルポジション毎に記憶する受信情報記憶部と、
前記デジタル放送と前記アナログ放送の２つの放送形態で放送を行っている放送事業者については、前記受信情報記憶部における前記アナログ放送のチャンネルポジションに対応して、前記デジタル放送のチャンネルの情報を書き込み、前記アナログ放送のみの放送形態で放送を行っている放送事業者については、前記受信情報記憶部における前記アナログ放送のチャンネルポジションに対応して、前記アナログ放送のチャンネルの情報を書き込む記憶部情報管理部と、
前記受信情報記憶部に記憶された前記情報に基づいて、前記デジタル放送と前記アナログ放送の前記２つの放送形態のいずれかを前記受信部において選択して前記テレビジョン放送を受信するように制御する制御部と、
を有することを特徴とする放送受信装置。
【請求項２】
前記アナログ放送と前記デジタル放送のそれぞれにおけるチャンネルポジション番号、放送事業者及びチャンネルの情報をチャンネルポジション毎に記憶する放送情報記憶部と、
前記デジタル放送の有無について定期的にチェックして、前記放送情報記憶部に記憶された前記デジタル放送の情報の更新を制御するデジタル放送情報更新制御部と、
を有し、
前記記憶部情報管理部は、前記放送情報記憶部に記憶された情報に基づいて、前記放送事業者及び前記チャンネルの情報を書き込むことを特徴とする請求項１に記載の放送受信装置。
【請求項３】
前記デジタル放送の信号を復調する第１の復調部と、
前記アナログ放送の信号を復調する第２の復調部と、
前記受信部において受信した前記テレビジョン放送の受信信号を入力して、前記第１の復調部及び前記第２の復調部のいずれか一方に出力するように選択的に切り換える切換部と、
を有し、
前記制御部は、前記受信部に選局信号を出力し、かつ前記切換部に切換制御信号を出力することによって、選択された前記テレビジョン放送を受信するための制御を行うことを特徴とする請求項１又は２に記載の放送受信装置。
【請求項４】
デジタル放送とアナログ放送の２つの放送形態のテレビジョン放送を受信する手順と、
前記テレビジョン放送のチャンネルの情報をチャンネルポジション毎に記憶する手順と、
前記デジタル放送と前記アナログ放送の２つの放送形態で放送を行っている放送事業者については、前記アナログ放送のチャンネルポジションに対応して、前記デジタル放送のチャンネルの情報を書き込み、前記アナログ放送のみの放送形態で放送を行っている放送事業者については、前記アナログ放送のチャンネルポジションに対応して、前記アナログ放送のチャンネルの情報を書き込む手順と、
前記情報に基づいて、前記デジタル放送と前記アナログ放送の前記２つの放送形態のいずれかを選択して前記テレビジョン放送を受信するように制御する手順と、
を具備することを特徴とする放送受信方法。
【発明の詳細な説明】
【技術分野】
【０００１】
本発明は、放送受信装置に関し、デジタル放送とアナログ放送の２つの放送形態のテレビジョン放送を受信可能な放送受信装置及び放送受信方法に関する。
【背景技術】
【０００２】
近年では、地上デジタル放送が開始されているが、現状、地上波によるテレビジョン放送では、地上デジタル放送と地上アナログ放送とが同一の内容の番組を提供するサイマル放送が実施されている。そこで、現在の放送受信装置は、地上デジタル放送と地上アナログ放送の両方を受信可能とする機能を備えた放送受信装置が普及している。例えば、地上波によるテレビジョン放送において、あるチャンネルを視聴したい場合、ユーザは、始めにリモートコントローラ（以下、リモコンという）において地上デジタル放送と地上アナログ放送の何れか一方の種類を選択し、続いてダイレクト選局ボタンを押してチャンネルを選択する操作が必要となる。両放送が受信可能な場合、ユーザは、一般に画質の良い地上デジタル放送を選択して視聴する。
【０００３】
ところが、地域によっては、全ての放送事業者が地上アナログ放送に対応した地上デジタル放送を開始していない。この場合、ユーザは、地上デジタル放送がないチャンネルについては地上アナログ放送の受信状態に切り換え、続いてダイレクト選局ボタンを押してチャンネルを選択する操作が必要となる。更に、同一の放送事業者が提供する地上デジタル放送と地上アナログ放送のチャンネル割り当てが異なるケースもあるため、操作が煩雑であり、結局、使い慣れているアナログ放送だけを見てしまう傾向もある。
【０００４】
このような問題を解決するために、１つのダイレクト選局ボタンに１つの放送事業者を対応付ける放送受信装置が提案されている（例えば、特許文献１参照）。しかし、同一の放送事業者が提供する地上デジタル放送と地上アナログ放送のチャンネル割り当てが異なる場合には、１つのダイレクト選局ボタンに対して自動的に放送事業者を割り当てることはできない。この場合には、ユーザが手動で放送事業者の割り付け作業を行う必要があり、操作が煩雑である。
【０００５】
また、受信している地上アナログ放送の番組と同一の番組が地上デジタル放送において放送されている場合には、ユーザに対し極力地上デジタル放送の番組の視聴を促すことができる放送受信装置が提案されている（例えば、特許文献２参照）。
【０００６】
この提案によると、地上アナログ放送の番組を視聴中に同一の番組の地上デジタル放送がある場合、放送受信装置は、同一の番組の地上デジタル放送があることをユーザに知らせ、ユーザがリモコンに設けられた所定のボタンを操作することにより地上デジタル放送に切り換える。又は、ユーザがリモコンに設けられた所定のボタンを操作することにより、放送受信装置は、視聴中の地上アナログ放送の番組と同一の番組の地上デジタル放送があるかを判断し、同一の番組の地上デジタル放送が存在すると地上デジタル放送に切り換える。
【０００７】
しかしながら、この提案においても、ユーザがアナログ放送とデジタル放送との切り換え操作を行う必要があり、利便性に劣っている。
【特許文献１】特開２００４−１５８９５６号公報
【特許文献２】特開２００４−１７９７１８号公報
【発明の開示】
【発明が解決しようとする課題】
【０００８】
このように、従来、デジタル放送とアナログ放送とが混在する環境では、ユーザが煩雑な設定操作や切り換え操作を必要とすることがあるという問題点があった。
【０００９】
本発明は、同一の事業者がデジタル放送とアナログ放送の両方を行っている場合においても、ユーザの設定操作や切り換え操作を必要とすることなく、デジタル放送を自動的に選局して視聴を可能にすることができる放送受信装置及び放送受信方法を提供することを目的とする。
【課題を解決するための手段】
【００１０】
本発明の一態様によれば、デジタル放送とアナログ放送の２つの放送形態のテレビジョン放送を受信可能な受信部と、該受信部において受信する前記テレビジョン放送のチャンネルの情報をチャンネルポジション毎に記憶する受信情報記憶部と、前記デジタル放送と前記アナログ放送の２つの放送形態で放送を行っている放送事業者については、前記受信情報記憶部における前記アナログ放送のチャンネルポジションに対応して、前記デジタル放送のチャンネルの情報を書き込み、前記アナログ放送のみの放送形態で放送を行っている放送事業者については、前記受信情報記憶部における前記アナログ放送のチャンネルポジションに対応して、前記アナログ放送のチャンネルの情報を書き込む記憶部情報管理部と、前記受信情報記憶部に記憶された前記情報に基づいて、前記デジタル放送と前記アナログ放送の前記２つの放送形態のいずれかを前記受信部において選択して前記テレビジョン放送を受信するように制御する制御部と、を有することを特徴とする放送受信装置を提供することができる。
【発明の効果】
【００１１】
本発明の放送受信装置によれば、同一の事業者がデジタル放送とアナログ放送の両方を行っている場合においても、ユーザの設定操作や切り換え操作を必要とすることなく、デジタル放送を自動的に選局して視聴を可能にすることができる。
【発明を実施するための最良の形態】
【００１２】
以下、図面を参照して本発明の実施の形態を詳細に説明する。  
図１は、本発明の一実施の形態に係る放送受信装置の構成を示すブロック図である。  
図１に示すように、本実施の形態の放送受信装置１は、チューナ１１と、スイッチ１２と、地上アナログ放送用の復調器１３と、アナログデジタル（以下、ＡＤという）変換器１４と、地上デジタル放送用の復調器１５と、デコーダ１６と、映像及び音声信号を出力する映像／音声信号処理部１７と、地域メモリ１８と、チャンネルメモリ１９と、選局メモリ２０と、制御部２１とを備えて構成されている。
【００１３】
また、放送受信装置１には、アンテナ３１が接続されている。アンテナ３１は、地上波放送用の信号を受信し、受信した信号をチューナ１１に供給する。
【００１４】
さらに、放送受信装置１は、リモコン３２からの操作信号が受信可能となっている。リモコン３２は、放送受信装置１の設定を変更するための各種のキーを有し、ユーザが所定のキーを操作すると、そのキーの操作に対応した信号を制御部２１に送信する。
【００１５】
さらに、放送受信装置１には、モニタ３３と、スピーカ３４とが接続されている。モニタ３３は、映像／音声信号処理部１７から出力される映像信号に基づく映像の表示を行う。スピーカ３４は、映像／音声信号処理部１７から出力される音声信号に基づく音声の再生を行う。
【００１６】
チューナ１１は、アンテナ３１を介して入力される地上波放送の信号から所望のチャンネルの放送信号を選局し、スイッチ１２の入力端に出力する。この放送信号の選局は、後述する制御部２１からの選局信号に基づき行われる。
【００１７】
スイッチ１２は、後述する制御部２１からの切換制御信号に基づき、地上デジタル放送と地上アナログ放送とを選択的に切り換える。地上アナログ放送が選択された場合には、スイッチ１２は、２つの出力端の一方から、入力された放送信号を地上アナログ放送用の復調器１３に出力する。地上デジタル放送が選択された場合には、スイッチ１２は、２つの出力端の他方から、入力された放送信号をＡＤ変換器１４に出力する。
【００１８】
地上アナログ放送用の復調器１３は、入力された放送信号を復調し、さらに、復調された放送信号を映像信号と音声信号とに分離し、分離されたそれぞれの映像信号と音声信号を映像／音声信号処理部１７に出力する。
【００１９】
ＡＤ変換器１４は、入力された放送信号をデジタル信号に変換し、変換されたデジタル信号を地上デジタル放送用の復調器１５に出力する。
【００２０】
地上デジタル放送用の復調器１５は、入力されたデジタル信号をＭＰＥＧ２(Moving Picture Experts Group2）のトランスポートストリーム（以下、ＴＳという）に復調し、復調されたＭＰＥＧ２のＴＳをデコーダ１６に出力する。
【００２１】
デコーダ１６は、入力されたＭＰＥＧ２のＴＳを映像信号、音声信号及びＳＩ(Service Information)等に分離する。また、デコーダ１６は、映像信号及び音声信号を映像／音声信号処理部１７に出力し、放送事業者、ダイレクト選局キー割り当て識別子及びチャンネル情報等が含まれるＳＩを制御部２１に出力する。以下、放送局によって指定されるダイレクト選局キー割り当て番号をチャンネルポジション番号と呼ぶ。
【００２２】
映像／音声信号処理部１７は、復調器１３又はデコーダ１６から入力される映像信号及び音声信号に対して所定の処理を行う。また、映像／音声信号処理部１７は、所定の処理が行われた映像信号及び音声信号をそれぞれモニタ３３及びスピーカ３４に出力する。
【００２３】
放送受信装置１には、複数のチャンネルから特定のチャンネルを選局するために、各チャンネルに対応したチャンネルポジションが割り当てられている。一般的には、各チャンネルポジションには、その番号と同一番号のチャンネルポジション番号を割り当てる。
【００２４】
地域メモリ１８には、地域毎に受信可能とされるチャンネルについて、チャンネルポジション番号とチャンネル情報とを対応付けた情報が格納されている。
【００２５】
放送情報記憶部としてのチャンネルメモリ１９には、地上アナログチャンネル情報及び地上デジタルチャンネル情報が格納される。地上アナログチャンネル情報及び地上デジタルチャンネル情報は、放送受信装置１が設置されている地域において受信可能な各放送信号についてのチャンネルポジション番号、放送事業者、チャンネル情報等を含む。さらに、地上アナログチャンネル情報及び地上デジタルチャンネル情報は、後述する図２及び図３に示すようなテーブル形式により、チャンネルメモリ１９に格納される。
【００２６】
本実施の形態においては、受信情報記憶部としての選局メモリ２０が設けられている。選局メモリ２０はチューナ１１による選局時に利用される情報を格納するものである。後述するように、選局メモリ２０に格納する情報は、チャンネルメモリ１９の情報及びデコーダ１６の出力に基づいて、制御部２１によって生成される。
【００２７】
選局メモリ２０には、各チャンネルポジション番号に対応する放送事業者、チャンネル情報及び放送形態を含む情報が図４に示すようなテーブル形式により格納されている。放送形態は、地上アナログ放送と地上デジタル放送の割り当てを含む情報である。
【００２８】
記憶部情報管理部とデジタル放送情報更新制御部としての制御部２１は、この放送受信装置１の全体の制御を行う。特に、本実施の形態において、制御部２１は、地域メモリ１８からの情報の読み出し、チャンネルメモリ１９及び選局メモリ２０からの情報の読み出し、及びチャンネルメモリ１９及び選局メモリ２０への情報の書き込み処理を行う。また、制御部２１は、リモコン３２からチャンネルの変更を指示する信号が入力されると、選局メモリ２０を参照し、指示されたチャンネルに変更するための選局信号及び切換制御信号をそれぞれチューナ１１及びスイッチ１２に出力する。
【００２９】
次に、このように構成された実施の形態の動作について説明する。  
（初期設定）  
先ず、初期設定について説明する。地上アナログ放送については、放送チャンネルとチャンネルポジション番号との対応は、地域メモリ１８及びユーザにより設定される居住地域の情報に基づいて初期設定される。ユーザによる居住地域の設定が行われると、制御部２１は、地域メモリ１８から設定された居住地域に対応するチャンネル情報を読み出す。次に、制御部２１は、チューナ１１に地上アナログ放送が送信される例えばＵＨＦ(Ultra High Frequency)帯域を順番にスキャンさせ、受信可能な地上アナログ放送の放送信号を検出する。さらに、制御部２１は、受信可能な地上アナログ放送の放送信号と地域メモリ１８から読み出された居住地域に対応するチャンネル情報とから、チャンネルポジション番号、放送事業者及びチャンネルの情報を対応させた地上アナログチャンネル情報のテーブル１９Ａを生成し、この地上アナログチャンネル情報をテーブル形式でチャンネルメモリ１９に格納する。図２は、このチャンネルメモリ１９に格納される地上アナログチャンネル情報のテーブルの例を示す。
【００３０】
一方、地上デジタル放送については、放送チャンネルとチャンネルポジション番号との対応は、ユーザによる居住地域の登録後に制御部２１により設定される。制御部２１は、チューナ１１に地上デジタル放送が送信されるＵＨＦ帯域を順番にスキャンさせ、受信可能な地上デジタル放送の放送信号を検出する。受信可能な地上デジタル放送の放送信号は、スイッチ１２、ＡＤ変換器１４及び地上デジタル放送用の復調器１５を介してデコーダ１６に入力される。デコーダ１６において、放送事業者、チャンネルポジション番号及びチャンネル情報等が含まれるＳＩがＭＰＥＧ２のＴＳから分離され、制御部２１に出力される。
【００３１】
制御部２１は、このＳＩからチャンネルポジション番号、放送事業者及びチャンネルの情報を対応させた地上デジタルチャンネル情報のテーブル１９Ｂを生成し、この地上デジタルチャンネル情報をテーブル形式でチャンネルメモリ１９に格納する。図３は、チャンネルメモリ１９に格納される地上デジタルチャンネル情報のテーブルの例を示す。
【００３２】
地上デジタルチャンネル情報のテーブル及び地上アナログチャンネル情報のテーブルがチャンネルメモリ１９に格納されると、制御部２１は、これらのテーブルに基づいて、各チャンネルポジションに対応するチャンネルポジション番号、放送事業者、地上アナログ放送のチャンネル又は地上デジタル放送のチャンネル、及び放送形態の情報を含む選局テーブル２０Ａを生成し、生成した選局テーブル２０Ａをテーブル形式で選局メモリ２０に格納する。
【００３３】
各チャンネルポジションに対応する放送事業者の割り当てについては、チャンネルメモリ１９に格納された地上アナログチャンネル情報のテーブル１９Ａを基準にして割り当てられる。
【００３４】
また、各チャンネルポジションに対応するチャンネルの割り当てについては、同一の放送事業者が地上デジタル放送と地上アナログ放送の両方を行っている場合には、地上デジタル放送を選局するようにチャンネルが割り当てられ、地上デジタル放送を行っていない場合には、地上アナログ放送を選局するようにチャンネルが割り当てられる。図４は、選局メモリ２０に格納される選局テーブルの例を示す。
【００３５】
次に、上述した初期設定の流れについて説明する。図５は、初期設定の流れの例を示すフローチャートである。以下の処理は、制御部２１により実行される。
【００３６】
ユーザによる居住地域の設定がされると（ステップＳ１）、地上デジタル放送のチャンネルスキャンが実行され（ステップＳ２）、受信可能な地上デジタル放送については、チャンネルポジション番号、放送事業者及びチャンネルの情報を対応させた地上デジタルチャンネル情報のテーブル１９Ｂが生成され、生成されたテーブル１９Ｂがチャンネルメモリ１９に格納される（ステップＳ３）。
【００３７】
次に、地上アナログ放送のチャンネルスキャンを実行し（ステップＳ４）、受信可能な地上アナログ放送については、チャンネルポジション番号、放送事業者及びチャンネルの情報を対応させた地上アナログチャンネル情報のテーブル１９Ａが生成され、生成されたテーブル１９Ａがチャンネルメモリ１９に格納される（ステップＳ５）。
【００３８】
そして、地上デジタルチャンネル情報のテーブル１９Ｂ及び地上アナログチャンネル情報のテーブル１９Ａに基づいて、各チャンネルポジション番号に対応する放送事業者、地上アナログ放送のチャンネル又は地上デジタル放送のチャンネルを割り当て及び放送形態の情報を含む選局テーブル２０Ａが生成され、生成された選局テーブル２０Ａが選局メモリ２０に格納される（ステップＳ６）。
【００３９】
次に、ステップＳ６における選局メモリ２０に格納される選局テーブル２０Ａの生成について説明する。図６は、選局テーブル２０Ａの生成の流れの例を示すフローチャートである。
【００４０】
先ず、各チャンネルポジションに対応する放送事業者の割り当てについては、チャンネルメモリ１９に格納された地上アナログチャンネル情報のテーブル１９Ａを基準にして割り当てるために、地上アナログチャンネル情報のテーブル１９Ａのチャンネルポジション番号の小さい順に、そのチャンネルポジション番号に対応する事業者が抽出される（ステップＳ１０）。
【００４１】
次に、地上デジタルチャンネル情報のテーブル１９Ｂに、抽出された事業者と同じ事業者が登録されているか否かが判断される（ステップＳ１１）。
【００４２】
抽出された事業者と同じ事業者がある場合には、ステップＳ１１においてＹＥＳとなり、地上デジタルチャンネル情報のテーブル１９Ｂから当該事業者の放送チャンネルを取得する。そして、そのチャンネルポジション番号については、アナログのチャンネルポジション番号に対応する事業者に対して、地上デジタル放送のチャンネルが設定され（ステップＳ１２）、放送形態がデジタルに設定される（ステップＳ１３）。
【００４３】
即ち、地上デジタル放送が行われている場合には、地上アナログ放送のチャンネルポジション番号及び事業者の組み合わせに対して、当該事業者のデジタル放送チャンネルが対応するチャンネルポジションに自動的に設定されることになる。
【００４４】
抽出された事業者と同じ事業者がない場合には、ステップＳ１１においてＮＯとなり、抽出された地上アナログチャンネル情報のテーブル１９Ａのチャンネルポジション番号と、そのチャンネルポジション番号に対応する事業者と、地上アナログ放送のチャンネルとが対応するチャンネルポジションに設定され（ステップＳ１４）、放送形態がアナログに設定される（ステップＳ１５）。
【００４５】
そして、全てのチャンネルポジション番号をチェックしたかが判断される（ステップＳ１６）。全てのチャンネルポジション番号がチェックされていない場合には、ステップＳ１６においてＮＯとなり、ステップＳ１０に戻り、それ以降上述した処理が繰り返される。全てのチャンネルポジション番号がチェックされた場合には、ステップＳ１６においてＹＥＳとなり、選局テーブル２０Ａの生成が終了する。
【００４６】
（チャンネル設定用スキャンモード）  
次に、チャンネル設定用スキャンモードについて説明する。このチャンネル設定用スキャンモードは、初期設定以降、電源が投入される度、制御部２１により実行される。
【００４７】
先ず、電源が投入されると、制御部２１は、自動的にチューナ１１に地上デジタル放送及び地上アナログ放送が行われる帯域を順番にスキャンさせ、受信可能な地上デジタル放送及び地上アナログ放送の放送信号を検出する。新規に受信可能となった地上デジタル放送がある場合、制御部２１は、チャンネルポジション番号、放送事業者及びチャンネルの情報を対応させた地上デジタルチャンネル情報をチャンネルメモリ１９の地上デジタルチャンネル情報のテーブル１９Ｂに追加し、地上デジタルチャンネル情報のテーブル１９Ｂを更新する。
【００４８】
図７は、地上デジタルチャンネル情報が更新されたとき、チャンネルメモリ１９に格納される地上デジタルチャンネル情報のテーブル１９Ｃの例を示す。図７では、初期設定の地上デジタルチャンネル情報のテーブル１９Ｂに対し、チャンネルポジション番号３に事業者Ｃが追加されている。
【００４９】
チャンネルメモリ１９の地上デジタルチャンネル情報の更新がある場合、制御部２１は、その更新された内容に基づいて、選局メモリ２０の選局テーブル２０Ａを更新する。つまり、更新前にはチャンネルポジション４に対しアナログのチャンネルポジション番号３が設定されている。更新後には制御部２１は、事業者Ｃのチャンネルポジション４に対して事業者Ｃのデジタルチャンネル１０２に更新する。
【００５０】
図８は、チャンネルメモリ１９のテーブル１９Ｂが図７のように更新されたとき、選局メモリ２０に生成されて格納される選局テーブル２０Ｂの例を示す。
【００５１】
図８では、図４に示す初期設定の選局テーブル２０Ａに対し、チャンネルポジションの４に割り当てられている事業者Ｃの地上アナログ放送のチャンネルが、地上デジタル放送のチャンネルに変更され、放送形態もデジタルに変更されている。
【００５２】
次に、上述したチャンネル設定用スキャンモードの動作の流れについて説明する。図９は、チャンネル設定用スキャンモードの動作の流れの例を示すフローチャートである。
【００５３】
初期設定後、電源が投入されると、地上デジタル放送及び地上アナログ放送のチャンネルスキャンが実行され（ステップＳ２０）、新規に受信可能となった地上デジタル放送のチャンネルがあるか否かが判断される（ステップＳ２１）。
【００５４】
新規のチャンネルの追加がある場合には、ステップＳ２１においてＹＥＳとなり、チャンネルメモリ１９の地上デジタルチャンネル情報の更新が行われる（ステップＳ２２）。新規のチャンネルの追加がない場合には、ステップＳ２１においてＮＯとなり、チャンネル設定用スキャンモードを終了する。
【００５５】
そして、チャンネルメモリ１９の地上デジタルチャンネル情報のテーブル１９Ｂの更新がされると、選局メモリ２０の選局テーブル２０Ａが更新され（ステップＳ２３）、チャンネル設定用スキャンモードを終了する。
【００５６】
以上のようにして、電源が投入され、チャンネル設定用スキャンモードが実行された後、ユーザによってチャンネルポジションの変更が指示されると、制御部２１は、選局メモリ２０の選局テーブル２０Ｂから、そのチャンネルポジションに対応するチャンネル及び放送形態を読み出す。そして、制御部２１は、読み出したチャンネルに対応する選局信号をチューナ１１に出力し、読み出した放送形態に対応する切換制御信号をスイッチ１２に出力する。
【００５７】
即ち、ユーザは、アナログ放送に対応したチャンネルポジションのみを記憶し、アナログ放送に対応した選局操作を行えばよい。この場合でも、ユーザが指定したアナログ放送の事業者によるデジタル放送が受信可能である場合には、自動的に当該事業者のデジタル放送チャンネルが選択されて受信される。従って、ユーザは、当該地域において、デジタル放送を受信可能であるか否かを記憶する必要はなく、デジタル放送とアナログ放送との切り換えやそのための設定操作を行う必要もなく、アナログ放送に対応した選局操作によって、自動的に所望するデジタル放送を視聴することができる。
【００５８】
以上のように本実施の形態によれば、同一の事業者が地上デジタル放送と地上アナログ放送とを行っている場合、この事業者に対応するチャンネルポジションには、地上デジタル放送のチャンネルが設定される。チャンネルポジションの変更が指示されると、そのチャンネルポジションに対応する事業者が地上デジタル放送を行っている場合には、地上デジタル放送が自動的に選局され、ユーザは地上デジタル放送を優先して視聴することができる。
【００５９】
さらに、電源が再投入される度にチャンネル設定用スキャンモードが実行されると、ある事業者が新しく地上デジタル放送を開始すると同時に、その事業者の選局チャンネルが、地上アナログ放送のチャンネルから地上デジタル放送のチャンネルに変更される。ユーザは、ある事業者の地上デジタル放送の開始時期を知らない場合でも、地上デジタル放送が開始されると、自動的に地上デジタル放送が選局され、その地上デジタル放送をユーザは視聴することができる。
【００６０】
なお、上述したチャンネル設定用スキャンモードにおいては、地上デジタル放送の変更がある場合について説明したが、地上デジタル放送と地上アナログ放送の両方の変更がある場合にも対応できる。
【００６１】
よって、本実施の形態の放送受信装置によれば、同一の事業者がデジタル放送とアナログ放送の両方を行っている場合においても、ユーザの設定操作や切り換え操作を必要とすることなく、デジタル放送を自動的に選局して視聴を可能にすることができる。
【００６２】
本発明は、上述した実施の形態に限定されるものではなく、本発明の要旨を変えない範囲において、種々の変更、改変等が可能である。
【図面の簡単な説明】
【００６３】
【図１】本発明の一実施の形態に係る放送受信装置の構成を示すブロック図である。
【図２】。チャンネルメモリに格納される地上アナログチャンネル情報のテーブルの例を示す。
【図３】。チャンネルメモリに格納される地上デジタルチャンネル情報のテーブルの例を示す。
【図４】選局メモリ２０に格納される選局テーブルの例を示す。
【図５】初期設定の流れの例を示すフローチャートである。
【図６】選局テーブルの生成の流れの例を示すフローチャートである。
【図７】地上デジタルチャンネル情報が更新されたとき、チャンネルメモリに格納される地上デジタルチャンネル情報のテーブルの例を示す。
【図８】チャンネルメモリのテーブルが図７のように更新されたとき、選局メモリに生成されて格納される選局テーブルの例を示す。
【図９】チャンネル設定用スキャンモードの流れの例を示すフローチャートである。
【符号の説明】
【００６４】
１…放送受信装置、１１…チューナ、１２…スイッチ、１３…復調器、１４…ＡＤ変換器、１５…復調器、１６…デコーダ、１７…映像／音声信号処理部、１８…地域メモリ、１９…チャンネルメモリ、２０…選局メモリ、２１…制御部。
【図１】
2008301293.tif 000003
【図２】
2008301293.tif 000004
【図３】
2008301293.tif 000005
【図４】
2008301293.tif 000006
【図５】
2008301293.tif 000007
【図６】
2008301293.tif 000008
【図７】
2008301293.tif 000009
【図８】
2008301293.tif 000010
【図９】
2008301293.tif 000011